(57)【特許請求の範囲】
【請求項１】
第１外装部材と、
第２外装部材と、
前記第１外装部材と前記第２外装部材とを回動可能に連結したヒンジと、
前記第１外装部材に対して前記第２外装部材が回動される時に前記第１外装部材内でスライドされる第１部分と、前記第２外装部材に固定された第２部分と、前記第１部分と前記第２部分との間に位置した第３部分とを有し、前記第１外装部材と前記第２外装部材とに亘るフレキシブルディスプレイと、
前記第１部分に取り付けられ、前記回動時に前記第１外装部材に案内されて前記第１外装部材内でスライドされる支持部と、
を有し、
前記第３部分は、前記第１部分のスライドに伴って前記第１外装部材に対して位置ずれして、前記第１外装部材と前記第２外装部材とが重ねられた状態で前記第１部分と前記第２部分との間の隙間よりも大きな円弧で曲げられる電子機器。
【請求項２】
請求項１の記載において、
前記第３部分は、前記第１外装部材と前記第２外装部材とが重ねられた状態で、前記第１外装部材及び前記第２外装部材の外部に突出して曲げられる電子機器。
【請求項３】
請求項１または請求項２の記載において、
前記第１外装部材の端部は、前記第３部分が前記第１部分と前記第２部分との間の隙間よりも大きな円弧で曲がるように、前記第２外装部材から離れる方向に傾斜した傾斜部を有した電子機器。
【請求項４】
請求項１乃至請求項３のいずれかの記載において、
前記第２外装部材の端部は、前記第３部分が前記第１部分と前記第２部分との間の隙間よりも大きな円弧で曲がるように、前記第１外装部材から離れる方向に傾斜した傾斜部を有した電子機器。
【請求項５】
請求項１乃至請求項４のいずれかの記載において、
前記第３部分に取り付けられ、前記第１外装部材と前記第２外装部材とが重ねられる時に前記第３部分を伸ばす方向に向けて押す弾性部をさらに有した電子機器。
【請求項６】
請求項５の記載において、
前記弾性部は、前記フレキシブルディスプレイよりも硬い電子機器。
【請求項７】
請求項１または請求項６の記載において、
前記第１外装部材は、前記第１部分がスライドされる方向に延びて前記支持部が案内される案内部を有した電子機器。
【請求項８】
請求項１または請求項７の記載において、
前記第２部分は、前記フレキシブルディスプレイの一部が延ばされることで設けられた固定部を有した電子機器。
【請求項９】
請求項１または請求項８の記載において、
前記第１部分は、前記第１部分がスライドされる方向に延びた端部を有し、
前記支持部は、前記第１部分が前記スライドされる方向で撓まないように前記端部の略全長に沿う電子機器。
【請求項１０】
請求項１または請求項９の記載において、
前記第１外装部材に設けられ、前記第１部分が前記スライドされる方向で撓まないように前記第２部分とは反対側に前記第１部分を引っ張る弾性部をさらに有した電子機器。
【請求項１１】
第１外装部材と、
第２外装部材と、
前記第１外装部材と前記第２外装部材とを回動可能に連結したヒンジと、
前記ヒンジに連結されて前記第１外装部材及び前記第２外装部材に対して回動される第３外装部材と、
前記第１外装部材に対して前記第２外装部材が回動される時に前記第１外装部材内でスライドされる第１部分と、前記第２外装部材に固定された第２部分と、前記第１部分と前記第２部分との間に位置した第３部分とを有し、前記第１外装部材と前記第２外装部材とに亘るフレキシブルディスプレイと、
前記第１部分に取り付けられ、前記回動時に前記第１外装部材に案内されて前記第１外装部材内でスライドされる支持部と、
を有し、
前記第３部分は、前記第１外装部材と前記第２外装部材とが重ねられた状態で、前記第１外装部材及び前記第２外装部材の外部に突出し、
前記第３外装部材は、前記第１外装部材及び前記第２外装部材の外部に突出した前記第３部分を前記第１外装部材及び前記第２外装部材とは反対側から覆う電子機器。
【請求項１２】
請求項１１の記載において、
前記第３外装部材は、開口部が設けられた筐体であり、
前記第３部分の少なくとも一部は、前記開口部から前記第３外装部材の内部に入る電子機器。
【請求項１３】
請求項１１または請求項１２の記載において、
前記第１外装部材は、前記第１部分がスライドされる方向に延びて前記支持部が案内される案内部を有した電子機器。
【請求項１４】
請求項１１または請求項１３の記載において、
前記第１部分は、前記第１部分がスライドされる方向に延びた端部を有し、
前記支持部は、前記第１部分が前記スライドされる方向で撓まないように前記端部の略全長に沿う電子機器。
【請求項１５】
請求項１１または請求項１４の記載において、
前記第３部分は、前記第１外装部材と前記第２外装部材とが重ねられた状態で、前記第１部分と前記第２部分との間の隙間よりも大きな円弧で曲げられる電子機器。
【請求項１６】
第１外装部材と、
第２外装部材と、
前記第１外装部材と前記第２外装部材とを回動可能に連結したヒンジと、
前記第１外装部材に対して前記第２外装部材が回動される時に前記第１外装部材内でスライドされる第１部分と、前記第２外装部材に固定された第２部分と、前記第１部分と前記第２部分との間に位置した第３部分とを有し、前記第１外装部材と前記第２外装部材とに亘るフレキシブルディスプレイと、
前記第１部分に取り付けられ、前記回動時に前記第１外装部材に案内されて前記第１外装部材内でスライドされる支持部と、
を有し、
前記第３部分は、前記第１外装部材と前記第２外装部材とが重ねられた状態で、前記第１外装部材と前記第２外装部材との間から外部に突出して前記第１部分と前記第２部分との間の隙間よりも大きな円弧で曲げられる電子機器。
【請求項１７】
請求項１６の記載において、
前記第１外装部材の端部は、前記第３部分が前記第１部分と前記第２部分との間の隙間よりも大きな円弧で曲がるように、前記第２外装部材から離れる方向に傾斜した傾斜部を有した電子機器。
【請求項１８】
請求項１６または請求項１７の記載において、
前記第２外装部材の端部は、前記第３部分が前記第１部分と前記第２部分との間の隙間よりも大きな円弧で曲がるように、前記第１外装部材から離れる方向に傾斜した傾斜部を有した電子機器。
【請求項１９】
請求項１６乃至請求項１８のいずれかの記載において、
前記第３部分に取り付けられ、前記第１外装部材と前記第２外装部材とが重ねられる時に前記第３部分を伸ばす方向に向けて押す弾性部をさらに有した電子機器。
【請求項２０】
請求項１９の記載において、
前記弾性部は、前記フレキシブルディスプレイよりも硬い電子機器。
【発明の詳細な説明】
【技術分野】
【０００１】
本発明の実施形態は、テレビジョン受像機を含む電子機器に関する。
【背景技術】
【０００２】
折り曲げ可能な電子機器が提案されている。
【先行技術文献】
【特許文献】
【０００３】
【特許文献１】特開２００６−２０８４２４号公報
【発明の概要】
【発明が解決しようとする課題】
【０００４】
電子機器は、ユーザーの利便性の向上が望まれている。
【０００５】
本発明の目的の一つは、ユーザーの利便性の向上を図ることができる電子機器を提供することである。
【課題を解決するための手段】
【０００６】
一つの実施形態によれば、電子機器は、第１外装部材と、第２外装部材と、前記第１外装部材と前記第２外装部材とを回動可能に連結したヒンジと、フレキシブルディスプレイと、支持部とを有する。前記フレキシブルディスプレイは、前記第１外装部材に対して前記第２外装部材が回動される時に前記第１外装部材内でスライドされる第１部分と、前記第２外装部材に固定された第２部分と、前記第１部分と前記第２部分との間に位置した第３部分とを有し、前記第１外装部材と前記第２外装部材とに亘る。前記支持部は、前記第１部分に取り付けられ、前記回動時に前記第１外装部材に案内されて前記第１外装部材内でスライドされる。前記第３部分は、前記第１部分のスライドに伴って前記第１外装部材に対して位置ずれして、前記第１外装部材と前記第２外装部材とが重ねられた状態で前記第１部分と前記第２部分との間の隙間よりも大きな円弧で曲げられる。
【図面の簡単な説明】
【０００７】
【図１】第１実施形態に係るテレビジョン受像機の正面図。
【図２】図１中に示されたテレビジョン受像機の斜視図。
【図３】第２実施形態に係る電子機器の斜視図。
【図４】図３中に示された電子機器の斜視図。
【図５】図３中に示された電子機器の斜視図。
【図６】図３中に示された電子機器の断面図。
【図７】図６中に示されたディスプレイを示す斜視図。
【図８】図７中に示された支持部の斜視図。
【図９】図３中に示された電子機器の断面図。
【図１０】図３中に示された電子機器の断面図。
【図１１】図３中に示された電子機器の断面図。
【図１２】第３実施形態に係る電子機器の断面図。
【図１３】図１２中に示された電子機器の断面図。
【図１４】第４実施形態に係る電子機器の一部を拡大して示す斜視図。
【図１５】図１４中に示された電子機器の断面図。
【図１６】第５実施形態に係る電子機器の断面図。
【図１７】第６実施形態に係る電子機器の断面図。
【図１８】第７実施形態に係る電子機器の断面図。
【図１９】第８実施形態に係る電子機器の断面図。
【図２０】第９実施形態に係る電子機器の断面図。
【図２１】第１０実施形態に係るディスプレイを示す斜視図。
【発明を実施するための形態】
【０００８】
以下、実施の形態について、図面を参照して説明する。なお本明細書では、複数の表現が可能な各要素について一つ以上の他の表現の例を付すことがあるが、これは他の表現が付されていない要素について異なる表現がされることを否定するものではないし、例示されていない他の表現がされることを制限するものでもない。
【０００９】
（第１実施形態）  
図１及び図２は、第１実施形態に係るテレビジョン受像機１を示す。テレビジョン受像機１は、「電子機器」の一例である。テレビジョン受像機１は、表示ユニット２と、該表示ユニット２を支持したスタンド３（支持部、台）とを有する。なお、テレビジョン受像機１は、スタンド３を有しない壁掛けタイプでもよい。
【００１０】
図１に示すように、表示ユニット２は、扁平な箱状の筐体４と、該筐体４に収容されたディスプレイ５とを有する。ディスプレイ５は、例えば柔軟性（可撓性）を有したフレキシブルディスプレイ（シートディスプレイ）である。ディスプレイ５は、画像や映像が表示される表示画面５ａを有する。筐体４は、表示画面５ａが露出する開口部４ａが設けられている。
【００１１】
図１及び図２に示すように、筐体４は、第１外装部材６（第１筐体、第１部材、第１部分）と、第２外装部材７（第２筐体、第２部材、第２部分）とを有する。第１外装部材６と第２外装部材７は、ヒンジ８で回動可能に連結されている。
【００１２】
本実施形態に係るテレビジョン受像機１は、ヒンジ８を中心に折り曲げ可能（折り畳み可能）である。テレビジョン受像機１は、第１外装部材６と第２外装部材７とが重ねられた第１状態と、第１外装部材６と第２外装部材７とが開かれて表示画面５ａが外部に露出される第２状態とで変形可能である。
【００１３】
ディスプレイ５は、第１外装部材６に位置した第１表示部１１（第１部分、第１領域）と、第２外装部材７に位置した第２表示部１２（第２部分、第２領域）と、第１表示部１１と第２表示部１２との間に位置した第３表示部１３（第３部分、第３領域）とを有する。ディスプレイ５は、第１外装部材６と第２外装部材７とに亘る。ディスプレイ５は、第１外装部材６と第２外装部材７とに亘る１枚の大きな表示画面５ａを有する。
【００１４】
第２表示部１２は、第２外装部材７に固定されている。一方で、第１表示部１１は、第１外装部材６に固定されていない。第１表示部１１は、第１外装部材６に対して移動可能である。第１表示部１１は、第１外装部材６に対して第２外装部材７が回動（開閉）される時に、第１外装部材６内でスライドされる。第３表示部１３は、第１外装部材６と第２外装部材７とが重ねられる時に、曲げられる。
【００１５】
なお、テレビジョン受像機１の詳細な構造は、第２実施形態に係る電子機器２１と略同じである。そこで、第２実施形態に係る電子機器２１を詳しく説明することで、テレビジョン受像機１の詳細な説明は省略する。なお、第１実施形態と第２実施形態とで同一または類似の機能を有する構成は、同一の符号を付す。
【００１６】
（第２実施形態）  
次に、図３乃至図１１を参照して、第２実施形態に係る電子機器２１について説明する。図３乃至図５に示すように、本実施形態に係る電子機器２１は、例えばノートブック型ポータブルコンピュータ（ノートＰＣ）である。さらに言えば、本実施形態に係る電子機器２１は、例えばキーボードを有しないタブレットタイプのポータブルコンピュータ（タブレットＰＣ）である。なお、本明細書で説明される実施形態が適用可能な電子機器は、上記例に限られない。本明細書で説明される実施形態は、例えばテレビジョン受像機、携帯電話（スマートフォンを含む）、ゲーム機など種々の電子機器に広く適用可能である。
【００１７】
図３乃至図５に示すように、電子機器２１は、第１筐体６、第２筐体７、第３筐体２３、及びヒンジ８ａ，８ｂを有する。第１筐体６、第２筐体７、及び第３筐体２３は、其々、電子機器２１の外郭を構成し、外部に露出されている。第１筐体６、第２筐体７、及び第３筐体２３は、其々、電子機器２１の外観面（外面、ユーザーが視認する面）の一部を構成する。第１筐体６、第２筐体７、及び第３筐体２３は、其々、内部に部品を収容した外装部材である。
【００１８】
第１筐体６（第１外装部材、第１部材、第１部分）は、第１実施形態の第１外装部材６に相当する。第１筐体６は、第１壁２５（上壁、前壁）、第２壁２６（下壁、底壁、背壁）、及び第３壁２７（周壁、側壁）を有し、扁平な箱状に形成されている。
【００１９】
第１壁２５は、ディスプレイ５の一部が露出する第１開口部２５ａが設けられている。第２壁２６は、第１壁２５とは反対側に位置する。第２壁２６は、例えば第１壁２５と略平行に延びている。第２壁２６は、例えば電子機器２１を机の上に置いた時に、その机上面Ｓ（載置面、外部面、外部載置面）に向かい合う。
【００２０】
第２壁２６には、例えば複数の脚部２８（支持部）が設けられている。電子機器２１が折り畳まれた姿勢で机の上に置かれた時、脚部２８は、机上面Ｓに接し、電子機器２１を支持する。第３壁２７は、第１壁２５及び第２壁２６とは交差する（例えば略直交する）方向に延び、第１壁２５の周縁部と第２壁２６の周縁部とを繋いでいる。
【００２１】
第１筐体６は、第１端部６ａ（例えば後端部）と、第２端部６ｂ（例えば前端部）とを有する。第１端部６ａには、ヒンジ８ａ，８ｂが連結されている。第２端部６ｂは、第１端部６ａとは反対側に位置する。なお本明細書では、ユーザーから見て、上下左右を定義する。また、ユーザーに近い方を「前」、ユーザーから遠い方を「後」と定義する。
【００２２】
図３乃至図５に示すように、第２筐体７（第２外装部材、第２部材、第２部分）は、第１実施形態の第２外装部材７に相当する。第２筐体７は、第１壁３１（上壁、前壁）、第２壁３２（下壁、底壁、背壁）、及び第３壁３３（周壁、側壁）を有し、扁平な箱状に形成されている。なお本明細書では、第２筐体７は、第１壁３１が上方に向いた姿勢を基準に、上下が定義されている。
【００２３】
第１壁３１は、ディスプレイ５の一部が露出する第２開口部３１ａが設けられている。第２壁３２は、第１壁３１とは反対側に位置する。第２壁３２は、例えば第１壁３１と略平行に延びている。第３壁３３は、第１壁３１及び第２壁３２とは交差する（例えば略直交する）方向に延び、第１壁３１の周縁部と第２壁３２の周縁部とを繋いでいる。
【００２４】
第２筐体７は、第１端部７ａ（例えば下端部）と、第２端部７ｂ（例えば上端部）とを有する。第１端部７ａには、ヒンジ８ａ，８ｂが連結されている。第２端部７ｂは、第１端部７ａとは反対側に位置する。
【００２５】
ヒンジ８ａ，８ｂは、第１筐体６の第１端部６ａと第２筐体７の第１端部７ａとを回動可能（開閉可能）に連結している。これにより、電子機器２１は、折り曲げ可能（折り畳み可能）である。電子機器２１は、第１筐体６と第２筐体７とが重ねられた第１状態と、第１筐体６と第２筐体７とが開かれて表示画面５ａが外部に露出される第２状態とで変形可能である。
【００２６】
図３乃至図５に示すように、第３筐体２３は、第１筐体６の後方に位置する。第３筐体２３は、第１筐体６と第２筐体７とが重ねられた時に、第１筐体６及び第２筐体７とは重ならない位置に設けられている。第３筐体２３は、例えばバッテリ３５が取り付けられている。
【００２７】
第３筐体２３は、第１筐体６よりも厚く、且つ、第２筐体７よりも厚い。第３筐体２３の厚さは、例えば第１筐体６と第２筐体７とを合わせた厚さと略同じである。第１筐体６と第２筐体７とが重ねられた状態で、第３筐体２３の表面（例えば上面）は、第２筐体７の表面（例えば上面）と略同じ平面上に位置する。
【００２８】
図３乃至図５に示すように、第３筐体２３は、第１筐体６の第１端部６ａ及び第２筐体７の第１端部７ａに面する。第３筐体２３は、第１筐体６及び第２筐体７と略同じ幅を有する。第３筐体２３は、ヒンジ８ａ，８ｂによって、第１筐体６の第１端部６ａ及び第２筐体７の第１端部７ａに連結されている。第３筐体２３は、第１筐体６と第２筐体７とが開かれた時、第２筐体７の回動に連動して下方に傾斜する。これにより、第３筐体２３によって第１筐体６の第１端部６ａが持ち上げられ、電子機器２１が傾斜された姿勢になる。
【００２９】
図４乃至図６に示すように、電子機器２１は、ディスプレイ５を有する。ディスプレイ５は、例えば柔軟性（可撓性）を有したフレキシブルディスプレイ（シートディスプレイ）である。ディスプレイ５は、例えば有機ＥＬディスプレイであるが、これに限定されるものではない。ディスプレイ５は、画像や映像が表示される表示画面５ａを有する。
【００３０】
図４乃至図６に示すように、ディスプレイ５は、第１表示部１１（第１部分、第１領域）、第２表示部１２（第２部分、第２領域）、及び第３表示部１３（第３部分、第３領域）を有する。第１表示部１１は、第１筐体６に位置する。第２表示部１２は、第２筐体７に位置する。第３表示部１３は、第１表示部１１と第２表示部１２との間に位置する。ディスプレイ５は、第１筐体６と第２筐体７とに亘る。ディスプレイ５は、第１筐体６と第２筐体７とに亘る１枚の大きな表示画面５ａを有する。
【００３１】
第２表示部１２は、第２筐体７に固定されている。詳しく述べると、図７に示すように、第２表示部１２は、複数（例えば４つ）の第１固定部３７（取付部）を有する。第１固定部３７は、例えばディスプレイ５の一部が外側に延ばされることで設けられている。なお、第１固定部３７は、ディスプレイ５に他の部材（部品）が取り付けられることで設けられてもよい。また、第２表示部１２は、第２筐体７に代えて、ヒンジ８ａ，８ｂまたはその他の部材に固定されてもよい。
【００３２】
第１固定部３７は、例えばねじのような固定部材または溶着で第２筐体７に固定される。これにより、ディスプレイ５は、第２筐体７に固定される。なお、第１固定部３７は、第２筐体７に直接に取り付けられなくてもよい。第１固定部３７は、例えば別ピースが取り付けられ、この別ピースを介して第２筐体７に取り付けられてもよい。
【００３３】
一方で、第１表示部１１は、第１筐体６に固定されていない。第１表示部１１は、第１筐体６に対して移動可能である。第１表示部１１は、第１筐体６に対して第２筐体７が回動（開閉）される時に、第１筐体６に案内されて第１筐体６内でスライドされる。第１表示部１１は、第１筐体６の前後方向にスライドされる。すなわち、第１表示部１１は、該第１表示部１１と第２表示部１２とが並ぶ方向にスライドされる。
【００３４】
図７に示すように、第１表示部１１には、支持部４１（保持部、ガイド、フレーム、枠）が取り付けられている。ここで、第１表示部１１は、第１端部１１ａ、第２端部１１ｂ、第３端部１１ｃ、及び第４端部１１ｄを有する。第１端部１１ａは、例えば前端部である。第１端部１１ａは、第２表示部１２とは反対側に位置する。第２端部１１ｂは、例えば後端部である。第２端部１１ｂは、第１端部１１ａとは反対側に位置し、第３表示部１３に隣接する。第１端部１１ａ及び第２端部１１ｂは、第１表示部１１のスライド方向とは交差した（例えば略直交した）方向に延びている。
【００３５】
第３端部１１ｃは、例えば左端部である。第４端部１１ｄは、例えば右端部であり、第３端部１１ｃとは反対側に位置する。第３端部１１ｃ及び第４端部１１ｄは、第１端部１１ａ及び第２端部１１ｂとは交差した（略直交した）方向に延びている。第３端部１１ｃ及び第４端部１１ｄは、第１表示部１１のスライド方向に延びている。
【００３６】
図７及び図８に示すように、本実施形態に係る支持部４１は、一方が開放されたＵ字形に形成されている。支持部４１は、第１部分４１ａ、第２部分４１ｂ、及び第３部分４１ｃを有する。第１部分４１ａは、第１表示部１１の第１端部１１ａに沿って延び、第１端部１１ａの全長に亘る。第２部分４１ｂは、第１表示部１１の第３端部１１ｃに沿って延び、第３端部１１ｃの略全長に亘る。第２部分４１ｂは、第１部分４１ａに繋がっている。第３部分４１ｃは、第１表示部１１の第４端部１１ｄに沿って延び、第４端部１１ｄの略全長に亘る。第３部分４１ｃは、第１部分４１ａに繋がっている。支持部４１は、３方向から第１表示部１１を囲む。支持部４１は、例えば金属製であり、ディスプレイ５よりも硬い（剛性が高い）。
【００３７】
図７に示すように、第１表示部１１には、第２固定部４３が設けられている。第２固定部４３は、例えばディスプレイ５の一部が外側に延ばされることで設けられている。なお、第２固定部４３は、ディスプレイ５に他の部材（部品）が取り付けられることで設けられてもよい。
【００３８】
第１表示部１１の第３端部１１ｃは、例えば２つの第２固定部４３を有する。この２つの第２固定部４３は、第１表示部１１のスライド方向に互いに分かれている。同様に、第１表示部１１の第４端部１１ｄは、例えば２つの第２固定部４３を有する。この２つの第２固定部４３は、第１表示部１１のスライド方向に互いに分かれている。
【００３９】
図７及び図８に示すように、支持部４１は、第２固定部４３に対応した位置に、第２固定部４３が取り付けられる凹部４４（取付部）が設けられている。凹部４４は、支持部４１の第２部分４１ｂ及び第３部分４１ｃに其々設けられている。第２固定部４３は、支持部４１の凹部４４に取り付けられ、例えばねじのような固定部材または溶着で支持部４１に取り付けられる。これにより、第１表示部１１と支持部４１が一体となっている。
【００４０】
図７に示すように、支持部４１の第２部分４１ｂは、第１表示部１１がスライドされる方向で撓まないように第１表示部１１の第３端部１１ｃの略全長に亘って設けられている。支持部４１の第３部分４１ｃは、同様に、第１表示部１１がスライドされる方向で撓まないように第１表示部１１の第４端部１１ｄの略全長に亘って設けられている。これにより、第１表示部１１のスライド方向の撓みが抑制されている。つまり、第１表示部１１の第１端部１１ａと第２端部１１ｂとの間の撓みが抑制される。一方で、第１表示部１１の第３端部１１ｃと第４端部１１ｄとの間の撓みは、支持部４１の第１部分４１ａによって抑制される。
【００４１】
図９に示すように、第１筐体６は、支持部４１が案内される案内部４５（ガイド）を有する。本実施形態に係る案内部４５は、例えば第１筐体６に設けられたレール（ガイドレール、スライドレール、溝）である。案内部４５は、例えば支持部４１の第２部分４１ｂ及び第３部分４１ｃを其々受けるように、第１表示部１１の両側に其々設けられている。
【００４２】
案内部４５は、第１表示部１１のスライド方向に延びている。本実施形態に係る案内部４５は、第１面４５ａ、第２面４５ｂ、及び第３面４５ｃを有する。第１面４５ａは、第１表示部１１と略平行に延びている。第１面４５ａは、例えば上方から支持部４１に面する。
【００４３】
第２面４５ｂは、第１面４５ａとは反対側に位置し、第１面４５ａと略平行に延びている。第２面４５ｂは、第１面４５ａとは反対側、例えば下方から支持部４１に面する。第３面４５ｃは、第１面４５ａと第２面４５ｂとに亘る。第３面４５ｃは、例えば第１筐体６の厚さ方向に延びている。第３面４５ｃは、第１面４５ａ及び第２面４５ｂとは異なる方向、例えば側方から支持部４１に面する。
【００４４】
図９に示すように、第１筐体６は、例えば第１表示部１１の下方に位置して第１表示部１１を支持する支持部４７を有する。支持部４７と第１表示部１１との間には、部材４８（素材、部品）が設けられている。部材４８は、支持部４７と第１表示部１１との間の摩擦が小さくなる部材である。部材４８は、例えば第１筐体６よりも摩擦係数が小さい部材であり、例えばシリコンシートである。
【００４５】
なお、上記のような部材４８を設けるのに代えて、スリットや切欠きのような摩擦低減部を支持部４７に設けてもよい。スリットなどを設けることで、支持部４７と第１表示部１１との接触面積を減らすことができ、摩擦を小さくすることができる。
【００４６】
次に、本実施形態に係る電子機器２１の作用について説明する。  
図１０及び図１１に示すように、支持部４１は、第１筐体６と第２筐体７との回動時（開閉時）に、案内部４５に案内され、第１筐体６内で前後にスライドされる。具体的には、図１０の（ａ）に示すように、電子機器２１が開かれた状態で、ディスプレイ５は、最も伸ばされる。この状態で、第１表示部１１は、第１筐体６の第２端部６ｂ（前端部）に最も近くなる。
【００４７】
図１０の（ｂ）に示すように、第２筐体７が立て起こされた状態では、第１表示部１１は、ヒンジ８ａ，８ｂ側にスライドされ、第１筐体６の第２端部６ｂから離れる。さらに、図１０の（ｃ）に示すように、電子機器２１が折り畳まれた状態では、第１表示部１１は、ヒンジ８ａ，８ｂ側にさらにスライドされ、第１筐体６の第２端部６ｂから最も離れる。
【００４８】
図１０に示すように、第３表示部１３は、第１筐体６と第２筐体７とが重ねられた時（電子機器２１が折り畳まれた時）に、曲げられる。第３表示部１３は、第１筐体６と第２筐体７との間から外部に突出される。第３表示部１３の一部は、第１筐体６と第２筐体７とが重ねられた時に、ヒンジ８ａ，８ｂよりも後方に突出する。第３表示部１３は、第１表示部１１と第２表示部１２との間の隙間Ｃよりも大きな円弧で曲げられる。本実施形態では、第３表示部１３は、第１筐体６と第２筐体７とが重ねられた時に、第１筐体６と第２筐体７との間の隙間よりも大きな円弧で曲げられる。
【００４９】
ここで、ディスプレイは、その素材に基づいて、最小曲げ半径が決まる。「最小曲げ半径」とは、それ未満の小さな半径で曲げた場合に、ディスプレイに不具合が生じる可能性がある半径である。
【００５０】
本実施形態では、電子機器２１が折り畳まれた時に、第３表示部１３の円弧部の半径がディスプレイ５の最小曲げ半径よりも大きくなるように、第１表示部１１が大きくスライドされる。
【００５１】
図１０に示すように、第３筐体２３は、例えば第１筐体６及び第２筐体７に面する開口部２３ａを有する。第３表示部１３の少なくとも一部は、開口部２３ａから第３筐体２３の内側に入る。第３筐体２３は、第１壁５１（上壁）、第２壁５２（下壁、底壁）、及び第３壁５３（背壁、後壁）を有する。
【００５２】
第１筐体６と第２筐体７とが重ねられた状態で、第１壁５１は、第２筐体７の上面と略同一平面に位置する。第２壁５２は、第１筐体６の下面と略同一平面に位置する。第３壁５３は、第１壁５１と第２壁５２とは交差する方向に延び、第１壁５１と第２壁５２とに亘る。第１壁５１、第２壁５２、及び第３壁５３は、第３表示部１３を覆い、第３表示部１３を外部から隠す。
【００５３】
このような構成によれば、ユーザーの利便性向上を図ることができる。
【００５４】
比較のため、折り曲げタイプのタブレットの一例を考える。このタブレットは、第１筐体と第２筐体とに其々独立した液晶ディスプレイを有する。この場合、２つの液晶ディスプレイの間は分離されており、可視性が損なわれている。
【００５５】
一方で、本実施形態に係る電子機器２１は、第１筐体６と第２筐体７とに亘るディスプレイ５を有する。このため、ひと続きの１枚の表示画面５ａに画像や映像が表示される。これにより、可視性を向上させることができ、ユーザーの利便性を向上させることができる。さらに、大きなディスプレイ５を実装することに対する実装制限の緩和や、同一のフットプリントにおける画面サイズの拡大を図ることができる。
【００５６】
一方で、第１筐体６と第２筐体７とに亘るディスプレイ５が採用する場合、このディスプレイ５を第１筐体６と第２筐体７とに其々固定すると、第１筐体６と第２筐体７との回動時に、ディスプレイが突っ張ったり、引っ張られたりする可能性がある。このような突っ張りや引っ張りは、ディスプレイに負荷を掛け、電子機器２１の寿命が短くなる可能性がある。
【００５７】
そこで本実施形態では、ディスプレイ５は、第１筐体６内でスライドされる部分を有する。これにより、第１筐体６に対して第２筐体７が回動される時に、ディスプレイ５が第１筐体６に対して移動され、ディスプレイ５に突っ張りや引っ張りが生じることを抑制することができる。これにより、第１筐体６と第２筐体７との回動時にディスプレイ５に大きな応力が作用することが抑制され、ディスプレイ５の不具合が抑制される。これにより、電子機器２１の寿命を向上させることができる。
【００５８】
本実施形態では、ディスプレイ５に取り付けられ、第１筐体６に案内されて第１筐体６内でスライドされる支持部４１を有する。このような支持部４１が設けられることで、ディスプレイ５が第１筐体６内でスムーズに移動される。これは、ディスプレイ５に大きな応力が作用することをさらに抑制し、電子機器２１の寿命をさらに向上させることができる。
【００５９】
本実施形態では、ディスプレイ５は、第１筐体６内でスライドされる第１表示部１１と、第２筐体７に固定された第２表示部１２とを有する。このような構成によれば、第２筐体７によって、ディスプレイ５を安定して支持することができる。
【００６０】
本実施形態では、第１筐体６は、第１表示部１１がスライドされる方向に延びて支持部４１が案内される案内部４５を有する。このような案内部４５が設けられることで、第１表示部１１がさらにスムーズにスライドすることができる。これは、ディスプレイ５に大きな応力が作用することをさらに抑制し、電子機器２１の寿命をさらに向上させることができる。
【００６１】
本実施形態では、第２表示部１２は、ディスプレイ５の一部が延ばされることで設けられた固定部３７を有する。このような構成によれば、ディスプレイの固定に必要な部品の数を減らすことができる。これは、電子機器２１のコストダウンに寄与する。
【００６２】
本実施形態では、第１表示部１１は、該第１表示部１１がスライドされる方向に延びた端部１１ｃを有する。支持部４１は、前記端部１１ｃの略全長に沿う。このような構成によれば、第１表示部１１がスライドされる方向で撓むことがさらに抑制される。これにより、ディスプレイ５の画像の品質を高く維持することができる。
【００６３】
本実施形態では、ディスプレイ５は、第１表示部１１と第２表示部１２との間に位置した第３表示部１３を有する。第３表示部１３は、第１筐体６と第２筐体７とが重ねられた状態で、第１筐体６と第２筐体７との間から外部に突出して第１表示部１１と第２表示部１２との間の隙間よりも大きな円弧で曲がる。このような構成によれば、第３表示部１３が比較的大きな曲率で曲げられ、第３表示部１３に大きな負荷が掛かりにくい。これは、ディスプレイ５に大きな応力が作用することをさらに抑制し、電子機器２１の寿命をさらに向上させることができる。
【００６４】
（第３実施形態）  
次に、図１２及び図１３を参照して、第３実施形態に係る電子機器２１について説明する。なお、第１及び第２実施形態の構成と同一または類似の機能を有する構成は、同一の符号を付してその説明を省略する。また、下記に説明する以外の構成は、第２実施形態と同じである。
【００６５】
図１２及び図１３に示すように、本実施形態では、第１筐体６の第１端部６ａは、第３表示部１３が第１表示部１１と第２表示部１２との間の隙間Ｃよりも大きな円弧で曲がるように、第１傾斜部６１を有する。第１傾斜部６１は、第１筐体６の後方に進むに従い第２筐体７から離れる方向に傾斜する。なお、第１傾斜部６１は、傾斜した平面でもよいし、曲面でもよい。
【００６６】
同様に、第２筐体７の第１端部２７ａは、第３表示部１３が第１表示部１１と第２表示部１２との間の隙間Ｃよりも大きな円弧で曲がるように、第２傾斜部６２を有する。第２傾斜部６２は、第２筐体７の後方に進むに従い第１筐体６から離れる方向に傾斜する。なお、第２傾斜部６２は、傾斜した平面でもよいし、曲面でもよい。
【００６７】
ここで、図１３に示すように、第１傾斜部６１の端部６１ａと第２傾斜部６２の端部６２ａとの間の距離Ｌ（寸法）は、ディスプレイ５の最小曲げ半径の２倍以上に設定される。なお、電子機器２１は、第１傾斜部６１及び第２傾斜部６２のいずれか一方のみを有してもよい。
【００６８】
このような構成によれば、第２実施形態と同様に、ユーザーの利便性向上を図ることができる。さらに本実施形態では、第１筐体６の端部は、第２筐体７から離れる方向に傾斜した傾斜部６１を有する。このような構成によれば、第３表示部１３の曲げ半径が大きくなり、第３表示部１３に大きな負荷がさらに掛かりにくくなる。これは、ディスプレイ５に大きな応力が作用することをさらに抑制し、電子機器２１の寿命をさらに向上させることができる。
【００６９】
（第４実施形態）  
次に、図１４及び図１５を参照して、第４実施形態に係る電子機器２１について説明する。なお、第１乃至第３実施形態の構成と同一または類似の機能を有する構成は、同一の符号を付してその説明を省略する。また、下記に説明する以外の構成は、第３実施形態と同じである。
【００７０】
図１４に示すように、本実施形態では、第３表示部１３に、弾性部６５（補強部、補強板、押圧部、ガイド）が設けられている。ディスプレイ５は、表示画面５ａを含む第１面６６ａと、該第１面６６ａとは反対側に位置した第２面６６ｂとを有する。弾性部６５は、ディスプレイ５の第１面６６ａに取り付けられている。
【００７１】
弾性部６５は、ディスプレイ５よりも硬い素材であり、弾性（ばね性）を有する。弾性部６５には、第１筐体６と第２筐体７とが重ねられる時に、第３表示部１３を伸ばす方向に向けて押す。すなわち、弾性部６５は、第３表示部１３を後方に向けて押す。弾性部６５は、ディスプレイ５のスライドや折り曲げを補助する（促進する）。
【００７２】
このような構成によれば、第２実施形態と同様に、ユーザーの利便性向上を図ることができる。さらに本実施形態では、電子機器２１が閉じられる時に第３表示部１３を伸ばす方向に向けて押す弾性部６５をさらに有する。このような構成によれば、第１表示部１１がさらにスムーズに後方にスライドしやすい。これは、ディスプレイ５に大きな応力が作用することをさらに抑制し、電子機器２１の寿命をさらに向上させることができる。
【００７３】
（第５実施形態）  
次に、図１６を参照して、第５実施形態に係る電子機器２１について説明する。なお、第１乃至第４実施形態の構成と同一または類似の機能を有する構成は、同一の符号を付してその説明を省略する。また、下記に説明する以外の構成は、第２実施形態と同じである。
【００７４】
図１６に示すように、本実施形態に係る支持部４１は、レール（ガイドレール、スライドレール、溝）である。一方で、第１筐体６の案内部４５は、上記レールに案内される凸部（突起、板部）である。本実施形態では、レールである支持部４１が、凸部である案内部４５に案内されてスライドされる。
【００７５】
このような構成によれば、第２実施形態と同様に、ユーザーの利便性向上を図ることができる。
【００７６】
（第６実施形態）  
次に、図１７を参照して、第６実施形態に係る電子機器２１について説明する。なお、第１乃至第５実施形態の構成と同一または類似の機能を有する構成は、同一の符号を付してその説明を省略する。また、下記に説明する以外の構成は、第２実施形態と同じである。
【００７７】
本実施形態では、ヒンジ８ａは、第１筐体６と第２筐体７との回動時に回動する回動部７１を有する。回動部７１は、該回動部７１の半径方向に突出した突起７１ａを有する。突起７１ａは、連結部材７２によって、第１表示部１１に連結されている。連結部材７２の一例は、ワイヤーである。
【００７８】
本実施形態では、第１筐体６と第２筐体７との回動時には、ヒンジ８ａの回動部７１が回動する。回動部７１が回動すると、突起７１ａが移動し、連結部材７２を介して第１表示部１１が引っ張られたり、押されたりする。つまり、第１表示部１１は、ヒンジ８ａの回動に連動してスライドされる。
【００７９】
このような構成によれば、第２実施形態と同様に、ユーザーの利便性向上を図ることができる。さらに本実施形態では、第１表示部１１は、ヒンジ８ａの回動に連動してスライドされる。このような構成によれば、第１表示部１１を安定してスライドさせることができる。これにより、ディスプレイ５に大きな応力が作用することをさらに抑制し、電子機器２１の寿命をさらに向上させることができる。
【００８０】
（第７実施形態）  
次に、図１８を参照して、第７実施形態に係る電子機器２１について説明する。なお、第１乃至第６実施形態の構成と同一または類似の機能を有する構成は、同一の符号を付してその説明を省略する。また、下記に説明する以外の構成は、第２実施形態と同じである。
【００８１】
図１８に示すように、本実施形態では、第１筐体６の第２端部６ｂには、案内部７５が設けられている。案内部７５は、第１表示部１１の第１端部１１ａを、第１筐体６の厚さ方向に曲げるように案内する。これにより、第１表示部１１の第１端部１１ａは、第１筐体６の第２端部６ｂの内側で曲げられて収容される。
【００８２】
このような構成によれば、第２実施形態と同様に、ユーザーの利便性向上を図ることができる。さらに本実施形態では、第１筐体６の案内部７５によって、第１表示部１１の第１端部１１ａが第１筐体６の厚さ方向に曲げられて収容される。これにより、第１表示部１１が露出される第１筐体６の第１開口部３１ａの大きさを大きくすることができる。換言すれば、狭額縁の電子機器２１を提供することができる。
【００８３】
（第８実施形態）  
次に、図１９を参照して、第８実施形態に係る電子機器２１について説明する。なお、第１乃至第７実施形態の構成と同一または類似の機能を有する構成は、同一の符号を付してその説明を省略する。また、下記に説明する以外の構成は、第７実施形態と同じである。
【００８４】
図１９に示すように、本実施形態では、第１筐体６には、弾性部８１が設けられている。弾性部８１は、第１表示部１１がスライドされる方向で撓まないように、第２表示部１２とは反対側（第２端部１１ｂとは反対側）に第１表示部１１を引っ張る。つまり、弾性部８１は、第１表示部１１に張力を作用させる。
【００８５】
このような構成によれば、第２実施形態と同様に、ユーザーの利便性向上を図ることができる。さらに本実施形態では、第１筐体６には、第２表示部１２とは反対側に第１表示部１１を引っ張る弾性部８１が設けられている。このような構成によれば、第１表示部１１が撓みにくい。これにより、ディスプレイ５の画像の品質を高く維持することができる。
【００８６】
（第９実施形態）  
次に、図２０を参照して、第９実施形態に係る電子機器２１について説明する。なお、第１乃至第８実施形態の構成と同一または類似の機能を有する構成は、同一の符号を付してその説明を省略する。また、下記に説明する以外の構成は、第８実施形態と同じである。
【００８７】
図２０に示すように、本実施形態では、第１筐体６は、回路基板８５を収容している。回路基板８５は、ディスプレイ５のアクティブエリア８６ａと非アクティブエリア８６ｂとを制御する。アクティブエリア８６ａは、画像や映像が表示されるエリアである。非アクティブエリア８６ｂは、画像や映像が表示されないエリアである。なお、回路基板８５は、第２筐体７や第３筐体２３に収容されてもよい。
【００８８】
図２０に示すように、電子機器２１は、ヒンジ８ａの回転角を検出するセンサ８７を有する。センサ８７は、回路基板８５に電気的に接続されている。回路基板８５は、センサ８７からの信号を受け取り、ヒンジ８ａの回転角に基づき、第１表示部１１と第１開口部３１ａとの位置関係を検出する。
【００８９】
回路基板８５は、第１表示部１１のなかで、第１開口部３１ａから露出する部分をアクティブエリア８６ａとして制御し、第１開口部３１ａから露出されない部分を非アクティブエリア８６ｂとして制御する。つまり、第１表示部１１のアクティブエリア８６ａは、ヒンジ８ａの回転角に基づいて、順次、拡大または縮小する。
【００９０】
このような構成によれば、第２実施形態と同様に、ユーザーの利便性向上を図ることができる。さらに本実施形態では、第１表示部１１のアクティブエリア８６ａが、ヒンジ８ａの回転角に基づき変動する。このような構成によれば、第１表示部１１の適切な領域をアクティブエリア８６ａとして利用することができ、ユーザーの利便性を向上させることができる。
【００９１】
（第１０実施形態）  
次に、図２１を参照して、第１０実施形態に係る電子機器２１について説明する。なお、第１乃至第８実施形態の構成と同一または類似の機能を有する構成は、同一の符号を付してその説明を省略する。また、下記に説明する以外の構成は、第２実施形態と同じである。
【００９２】
図２１に示すように、本実施形態では、第３表示部１３は、固定部３７を有する。固定部３７は、ヒンジ８ａ，８ｂに固定される。すなわち本実施形態では、ディスプレイ５は、ヒンジ８ａ，８ｂに固定されている。一方で、第２表示部１２は、第１表示部１１と同様に、支持部４１が設けられている。第２表示部１２は、第１筐体６と第２筐体７との回動時に、第２筐体７内でスライドされる。第２表示部１２に取付けられた支持部４１は、第１筐体６と第２筐体７との回動時に、第２筐体７に案内されて第２筐体７内でスライドされる。第２筐体７は、第１筐体６と同様に、支持部４１を案内する案内部４５を有する。
【００９３】
このような構成によれば、第２実施形態と同様に、ユーザーの利便性向上を図ることができる。
【００９４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００９５】
例えば、ヒンジは必須の構成要素ではない。上記実施形態のいくつかは、ヒンジを有しない折り曲げタイプの電子機器にも適用可能である。
以下、いくつかのテレビジョン受像機及び電子機器を付記する。
[１]、(i)第１外装部材と、(ii)第２外装部材と、(iii)前記第１外装部材と前記第２外装部材とを回動可能に連結したヒンジと、(iv)前記第１外装部材に対して前記第２外装部材が回動される時に前記第１外装部材内でスライドされる第１部分と、前記第２外装部材に固定された第２部分とを有し、前記第１外装部材と前記第２外装部材とに亘るフレキシブルディスプレイと、(v)前記第１部分に取り付けられ、前記回動時に前記第１外装部材に案内されて前記第１外装部材内でスライドされる支持部と、を有したテレビジョン受像機。
[２]、[１]の記載において、前記第１外装部材は、前記第１部分がスライドされる方向に延びて前記支持部が案内される案内部を有したテレビジョン受像機。
[３]、[１]または[２]の記載において、前記第２部分は、前記フレキシブルディスプレイの一部が延ばされることで設けられた固定部を有したテレビジョン受像機。
[４]、[１]または[３]の記載において、前記第１部分は、前記第１部分がスライドされる方向に延びた端部を有し、前記支持部は、前記第１部分が前記スライドされる方向で撓まないように前記端部の略全長に沿うテレビジョン受像機。
[５]、[１]または[４]の記載において、前記フレキシブルディスプレイは、前記第１部分と前記第２部分との間に位置した第３部分を有し、前記第３部分は、前記第１外装部材と前記第２外装部材とが重ねられた状態で、前記第１外装部材と前記第２外装部材との間から外部に突出して前記第１部分と前記第２部分との間の隙間よりも大きな円弧で曲がるテレビジョン受像機。
[６]、[５]の記載において、前記第１外装部材の端部は、前記第３部分が前記第１部分と前記第２部分との間の隙間よりも大きな円弧で曲がるように、前記第２外装部材から離れる方向に傾斜した傾斜部を有したテレビジョン受像機。
[７]、[５]または[６]の記載において、前記フレキシブルディスプレイよりも硬く、前記第３部分に取り付けられ、前記第１外装部材と前記第２外装部材とが重ねられる時に前記第３部分を伸ばす方向に向けて押す弾性部をさらに有したテレビジョン受像機。
[８]、[１]または[７]の記載において、前記第１外装部材に設けられ、前記第１部分が前記スライドされる方向で撓まないように前記第２部分とは反対側に前記第１部分を引っ張る弾性部をさらに有したテレビジョン受像機。
[９]、(i)第１筐体と、(ii)前記第１筐体に対して回動される第２筐体と、(iii)前記回動時に前記第１筐体内でスライドされる部分を有し、前記第１筐体と前記第２筐体とに亘るフレキシブルディスプレイと、(iv)前記フレキシブルディスプレイの前記部分に取り付けられ、前記第１筐体に案内されて前記第１筐体内でスライド可能な支持部と、を有した電子機器。
[１０]、筐体と、前記筐体に対して移動可能なディスプレイと、前記ディスプレイに取り付けられ、前記筐体内で移動可能な支持部と、を有した電子機器。
【符号の説明】
【００９６】
１…テレビジョン受像機、５…ディスプレイ、６…第１筐体（第１外装部材）、７…第２筐体（第２外装部材）、８ａ，８ｂ…ヒンジ、１１…第１表示部、１２…第２表示部、１３…第３表示部、２１…電子機器、３７…固定部、４１…支持部、４５…案内部、６１，６２…傾斜部、６５…弾性部。
【要約】      （修正有）【課題】ユーザーの利便性向上を図ることができる電子機器を提供する。【解決手段】電子機器は、筐体と、前記筐体に対して移動可能なディスプレイと、前記ディスプレイに取り付けられ、前記筐体内で移動可能な支持部と、を有する。第１筐体６は、支持部４１が案内される案内部４５（ガイド）を有する。案内部４５は、例えば第１筐体６に設けられたレール（ガイドレール、スライドレール、溝）である。案内部４５は、例えば支持部４１の第２部分及び第３部分４１ｃを其々受けるように、第１表示部１１の両側に其々設けられている。【選択図】図９【図１】
0005319825.tif 000002
【図２】
0005319825.tif 000003
【図３】
0005319825.tif 000004
【図４】
0005319825.tif 000005
【図５】
0005319825.tif 000006
【図６】
0005319825.tif 000007
【図７】
0005319825.tif 000008
【図８】
0005319825.tif 000009
【図９】
0005319825.tif 000010
【図１０】
0005319825.tif 000011
【図１１】
0005319825.tif 000012
【図１２】
0005319825.tif 000013
【図１３】
0005319825.tif 000014
【図１４】
0005319825.tif 000015
【図１５】
0005319825.tif 000016
【図１６】
0005319825.tif 000017
【図１７】
0005319825.tif 000018
【図１８】
0005319825.tif 000019
【図１９】
0005319825.tif 000020
【図２０】
0005319825.tif 000021
【図２１】
0005319825.tif 000022